(57)【要約】  中継装置であって、第一ネットワークに接続するための第一制御部と、第一ネットワークとは異なる種類の第二ネットワークに接続するための第二制御部と、第一ネットワークに関する情報及び第二ネットワークに関する情報に基づいて、現用系として動作すべき経路を、第一ネットワーク及び第二ネットワークの中から選択し、経路の切替を行う中継部と、を備え、第二制御部は、第一ネットワークで伝送される伝送単位を、第二ネットワークで伝送される伝送単位に変換し、第二ネットワークへ送信する。
2011115248.tif 000002
【特許請求の範囲】
【請求項１】
第一ネットワークに接続するための第一制御部と、
前記第一ネットワークとは異なる種類の第二ネットワークに接続するための第二制御部と、
前記第一ネットワークに関する情報及び前記第二ネットワークに関する情報に基づいて、現用系として動作すべき経路を、前記第一ネットワーク及び前記第二ネットワークの中から選択し、経路の切替を行う中継部と、
を備え、
前記第二制御部は、前記第一ネットワークで伝送される伝送単位を、前記第二ネットワークで伝送される伝送単位に変換し、前記第二ネットワークへ送信する中継装置。
【請求項２】
前記第一ネットワークは前記伝送単位として時分割多重信号が送受信される時分割多重網であり、前記第二ネットワークは前記伝送単位としてパケットが送受信されるパケット網であり、
前記第二制御部は、時分割多重信号をパケットに変換して前記パケット網へ送信する請求項１に記載の中継装置。
【請求項３】
前記第一制御部は、前記第一ネットワークに関する情報を検知する第一検知部を備え、
前記第二制御部は、前記第二ネットワークに関する情報を検知する第二検知部を備える請求項１又は２に記載の中継装置。
【請求項４】
第一ネットワークに接続するための第一制御部と、前記第一ネットワークとは異なる種類の第二ネットワークに接続するための第二制御部と、を備える中継装置が、前記第一ネットワークで伝送される伝送単位を、前記第二ネットワークで伝送される伝送単位に変換し、前記第二ネットワークへ送信するステップと、
前記中継装置が、前記第一ネットワークに関する情報及び前記第二ネットワークに関する情報に基づいて、現用系として動作すべき経路を、前記第一ネットワーク及び前記第二ネットワークの中から選択し、経路の切替を行うステップと、
を備える中継方法。
【請求項５】
第一ネットワークに接続するための第一制御部と、前記第一ネットワークとは異なる種類の第二ネットワークに接続するための第二制御部と、を備える装置に対し、
前記第一ネットワークで伝送される伝送単位を、前記第二ネットワークで伝送される伝送単位に変換し、前記第二ネットワークへ送信するステップと、
前記第一ネットワークに関する情報及び前記第二ネットワークに関する情報に基づいて、現用系として動作すべき経路を、前記第一ネットワーク及び前記第二ネットワークの中から選択し、経路の切替を行うステップと、
を実行させるためのコンピュータプログラム。
【発明の詳細な説明】
【技術分野】
【０００１】
本発明は、複数の経路を切り替える技術に関する。
【背景技術】
【０００２】
従来、ネットワークにおいて冗長な構成を実装して回線の切り替えを実現する場合には、同種の回線を用いて実装がなされていた。例えば、パケット網を用いた冗長構成であれば、ルータを用いてパケット網からパケット網への回線の切り替えが実現されている。また、例えばＴＤＭ網を用いた冗長構成であれば、ＴＤＭ網からＴＤＭ網への回線の切り替えが実現されている。特許文献１に開示された技術においても、インタフェース変換装置間で冗長なネットワークが構成されているが、現用系及び予備系のいずれもがパケット網を用いて実装されている。
【先行技術文献】
【特許文献】
【０００３】
【特許文献１】日本国特開２００６−６７０４０号公報
【発明の概要】
【発明が解決しようとする課題】
【０００４】
従来は、同種のネットワークが一つずつしか無い状況では、冗長なネットワークを構成することができないという問題があった。例えば、ＴＤＭ網及びパケット網がそれぞれ一つずつしかない状況では、冗長なネットワークを構成することができなかった。
上記事情に鑑み、本発明は、同種のネットワークが一つずつしか無い状況において冗長ネットワークを構成することを可能とするための技術を提供することを目的としている。
【課題を解決するための手段】
【０００５】
本発明の一態様は、中継装置であって、第一ネットワークに接続するための第一制御部と、前記第一ネットワークとは異なる種類の第二ネットワークに接続するための第二制御部と、前記第一ネットワークに関する情報及び前記第二ネットワークに関する情報に基づいて、現用系として動作すべき経路を、前記第一ネットワーク及び前記第二ネットワークの中から選択し、経路の切替を行う中継部と、を備え、前記第二制御部は、前記第一ネットワークで伝送される伝送単位を、前記第二ネットワークで伝送される伝送単位に変換し、前記第二ネットワークへ送信する。【０００６】
本発明の一態様は、中継方法であって、第一ネットワークに接続するための第一制御部と、前記第一ネットワークとは異なる種類の第二ネットワークに接続するための第二制御部と、を備える中継装置が、前記第一ネットワークで伝送される伝送単位を、前記第二ネットワークで伝送される伝送単位に変換し、前記第二ネットワークへ送信するステップと、前記中継装置が、前記第一ネットワークに関する情報及び前記第二ネットワークに関する情報に基づいて、現用系として動作すべき経路を、前記第一ネットワーク及び前記第二ネットワークの中から選択し、経路の切替を行うステップと、を備える。【０００７】
本発明の一態様は、第一ネットワークに接続するための第一制御部と、前記第一ネットワークとは異なる種類の第二ネットワークに接続するための第二制御部と、を備える装置に対し、前記第一ネットワークで伝送される伝送単位を、前記第二ネットワークで伝送される伝送単位に変換し、前記第二ネットワークへ送信するステップと、前記第一ネットワークに関する情報及び前記第二ネットワークに関する情報に基づいて、現用系として動作すべき経路を、前記第一ネットワーク及び前記第二ネットワークの中から選択し、経路の切替を行うステップと、を実行させるためのコンピュータプログラムである。
【発明の効果】
【０００８】
本発明により、同種のネットワークが一つずつしか無い状況において冗長ネットワークを構成することが可能となる。
【図面の簡単な説明】
【０００９】
【図１】冗長ネットワークシステムのシステム構成を表すシステム構成図である。
【図２】第一実施形態の中継装置の機能構成を表す概略ブロック図である。
【図３】第一実施形態のＴＤＭ制御部及びＴＤＭ制御部の機能構成を表す概略ブロック図である。
【図４】第一実施形態のＰＷＥ制御部の機能構成を表す概略ブロック図である。
【図５】第一実施形態の中継部の機能構成を表す概略ブロック図である。
【図６】エラーレベルテーブルの具体例を表す図である。
【図７】ＳＦ／ＳＤ＋ＴＤＭ信号の構成例を表す図である。
【図８】第一実施形態の中継装置の処理の流れを表すフローチャートである。
【図９】第二実施形態の中継装置の機能構成を表す概略ブロック図である。
【図１０】第二実施形態のＴＤＭ制御部及びの機能構成を表す概略ブロック図である。
【図１１】第二実施形態のＰＷＥ制御部の機能構成を表す概略ブロック図である。
【図１２】第二実施形態の中継部の機能構成を表す概略ブロック図である。
【図１３】中継装置の適用例を表す図である。
【図１４】中継装置の他の適用例を表す図である。
【発明を実施するための形態】
【００１０】
図１は、冗長ネットワークシステム１００のシステム構成を表すシステム構成図である。冗長ネットワークシステム１００は、ＴＤＭ網１、ＴＤＭ網２、ＴＤＭ網３、パケット網４、中継装置５−１、中継装置５−２を備える。なお、中継装置５−１及び中継装置５−２は同じ構成であるため、以下の説明では「中継装置５」として説明する。
【００１１】
ＴＤＭ網１〜３は、複数のＴＤＭ（Time Division Multiplexing：時分割多重）通信装置を用いて構成され、伝送単位（ＰＤＵ：Protocol Data Unit）としてＴＤＭ信号（ＴＤＭフレーム）を伝送するネットワークである。ＴＤＭ網１は、不図示の通信装置又は中継装置５−１からＴＤＭ信号の入力を受け、不図示の通信装置又は中継装置５−１へＴＤＭ信号を出力する。ＴＤＭ網２は、中継装置５−１装置又は中継装置５−２からＴＤＭ信号の入力を受け、中継装置５−１装置又は中継装置５−２へＴＤＭ信号を出力する。ＴＤＭ網３は、不図示の通信装置又は中継装置５−２からＴＤＭ信号の入力を受け、不図示の通信装置又は中継装置５−２へＴＤＭ信号を出力する。
【００１２】
パケット網４は、複数のパケット通信装置を用いて構成され、伝送単位（ＰＤＵ）としてパケットを伝送するネットワークである。パケット網４は、中継装置５−１又は中継装置５−２からパケットの入力を受け、中継装置５−１又は中継装置５−２へパケットを出力する。
【００１３】
ＴＤＭ網２及びパケット網４は、いずれか一方が現用系（ＡＣＴ系）の経路として動作し、他方が待機系（ＳＢＹ系）として動作する。中継装置５は、現用系及び待機系の双方へ同等のデータを送信する。ここでいう同等のデータとは、伝送単位が異なるとしても、ペイロードが表すデータそのものの内容が同じであることを示す。また、中継装置５は、現用系及び待機系の双方から信号を受信し、受信した信号に基づいて現用系及び待機系に生じている障害を判定する。中継装置５は、判定結果に基づいて、現用系として動作すべき経路を決定し、必要に応じて現用系と待機系とを切り替える。そして、中継装置５は、現用系から受信したデータを、下流側となる経路へ送信する。
以下、中継装置５の複数の実施形態について説明する。
【００１４】
［第一実施形態］
図２は、第一実施形態の中継装置５ａ（５−１、５−２）の機能構成を表す概略ブロック図である。中継装置５ａは、バスで接続されたＣＰＵ（Central Processing Unit）やメモリや補助記憶装置などを備え、中継プログラムを実行することによって、ＴＤＭ制御部２１ａ、中継部２２ａ、ＴＤＭ制御部２３ａ、ＰＷＥ制御部２４ａを備える装置として機能する。なお、中継装置５ａの各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。中継プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。
【００１５】
ＴＤＭ制御部２１ａは、いわゆるＴＤＭカードを用いて構成され、ＴＤＭ網とのインタフェースを有する。中継装置５−１のＴＤＭ制御部２１ａはＴＤＭ網１とのインタフェースを有し、中継装置５−２のＴＤＭ制御部２１ａはＴＤＭ網３とのインタフェースを有する。中継部２２ａは、現用系として動作すべき経路を決定し、ＴＤＭ制御部２１ａに中継する信号の送り元を、ＴＤＭ制御部２３ａ又はＰＷＥ制御部２４ａに切り替える。ＴＤＭ制御部２３ａは、ＴＤＭ網２とのインタフェースを有する。ＴＤＭ網２は第一ネットワークに相当し、ＴＤＭ制御部２３ａは少なくとも第一制御部としての機能を持つ。ＰＷＥ制御部２４ａは、ＰＷＥ（Pseudo Wire Emulation）技術を用いて構成され、パケット網４とのインタフェースを有する。パケット網４は第二ネットワークに相当し、ＰＷＥ制御部２２４ａは少なくとも第二制御部としての機能を持つ。ＴＤＭ制御部２１ａ、ＴＤＭ制御部２３ａ、及びＰＷＥ制御部２４ａから中継部２２ａへ送信される主信号は、ＴＤＭ信号にエラー情報ＳＦ／ＳＤ（Signal Failure / Signal Degrade）ラベルが付与された形（ＳＦ／ＳＤ＋ＴＤＭ信号）で送信される。
【００１６】
図３は、第一実施形態のＴＤＭ制御部２１ａ及びＴＤＭ制御部２３ａの機能構成を表す概略ブロック図である。ＴＤＭ制御部２１ａ及びＴＤＭ制御部２３ａは、接続されるＴＤＭ網が異なることを除けば、その構成は同じである。以下、ＴＤＭ制御部２３ａを例に、ＴＤＭ制御部２１ａ及びＴＤＭ制御部２３ａについて説明する。ＴＤＭ制御部２３ａは、例えば、いわゆるＴＤＭカードを用いて構成される。ＴＤＭ制御部２３ａは、ＰＨＹ３１ａ、障害情報生成部３２ａ、障害情報付与部３３を備える。なお、ＴＤＭ制御部２３ａの各機能の全て又は一部は、ＡＳＩＣやＰＬＤやＦＰＧＡ等のハードウェアを用いて実現されても良い。
【００１７】
ＰＨＹ３１ａは、物理層（physical layer）の処理を行うチップを用いて構成され、ＴＤＭ網２とのインタフェースとして動作する。具体的には、ＰＨＹ３１ａは、ＴＤＭ網２からＴＤＭ信号を受信し、受信されたＴＤＭ信号を障害情報付与部３３へ送信する。また、ＰＨＹ３１ａは、中継部２２ａからＴＤＭ信号を受信し、受信されたＴＤＭ信号をＴＤＭ網２へ送信する。
【００１８】
また、ＰＨＹ３１ａは、ＴＤＭ網３を介して接続される対向側の中継装置５ａ又はＴＤＭ網３における障害の発生を検知する。例えば、ＰＨＹ３１ａは、ケーブルに障害が発生した場合には、リンク断として障害を検知する。また、ＰＨＹ３１ａは、対向側の中継装置５ａのＴＤＭ制御部２３ａに障害が発生した場合には、リンク断や同期外れとして障害を検知する。また、ＰＨＹ３１ａは、回線がＴ１回線のＥＳＦ（Extended Super Frame）やＥ１回線である場合には、ＣＲＣ（Cyclic Redundancy Check）エラーとして障害を検知しても良い。対向側の中継装置５ａからＡＩＳ（Alarm Indication Signal）が送信される場合には、ＰＨＹ３１ａは、ＡＩＳを受信することによって障害を検知しても良い。ＰＨＹ３１ａが障害を検知するための技術は、他の技術が適用されても良い。このように、ＰＨＹ３１は少なくとも第一検知部としての機能を持つ。
【００１９】
ＰＨＹ３１ａは、検知した障害に関する情報を障害情報生成部３２ａへ通知する。なお、ＴＤＭ制御部２１ａのＰＨＹ３１ａが障害の発生の検知をする対象は、ＴＤＭ網１を介して接続される不図示の通信装置及びＴＤＭ網１である。
【００２０】
障害情報生成部３２ａは、ＰＨＹ３１ａから障害に関する情報（障害通知）を受信する。障害情報生成部３２ａは、ＰＨＹ３１ａから通知された障害に関する情報をＳＦ／ＳＤラベルに付与し、ＳＦ／ＳＤ信号を生成する。より具体的には、障害情報生成部３２ａに対して通知される可能性のある障害（エラー）の内容及びその程度毎に、ＳＦ／ＳＤ信号の値が予め設定される。障害情報生成部３２ａは、障害の内容及び程度とＳＦ／ＳＤ信号とが対応付けられた障害テーブルを予め記憶する。障害情報生成部３２ａは、ＰＨＹ３１ａから受信された障害通知に対応するＳＦ／ＳＤ信号を、障害テーブルに従って選択する。そして、障害情報生成部３２ａは、選択されたＳＦ／ＳＤ信号を生成し、障害情報付与部３３へ送信する。
【００２１】
障害情報付与部３３は、ＰＨＹ３１ａからＴＤＭ信号を受信する。また、障害情報付与部３３は、障害情報生成部３２ａからＳＦ／ＳＤ信号を受信する。障害情報付与部３３は、障害情報生成部３２ａから受信したＳＦ／ＳＤ信号を、ＰＨＹ３１ａから受信したＴＤＭ信号に付与し、ＳＦ／ＳＤ＋ＴＤＭ信号を生成する。そして、障害情報付与部３３は、生成されたＳＦ／ＳＤ＋ＴＤＭ信号を中継部２２ａへ送信する。
【００２２】
図４は、第一実施形態のＰＷＥ制御部２４ａの機能構成を表す概略ブロック図である。ＰＷＥ制御部２４ａは、例えば、いわゆるＰＷＥカードを用いて構成される。ＰＷＥ制御部２４ａは、ＰＨＹ４１、障害検出部４２、変換部４３ａ、障害情報生成部４４ａ、障害情報付与部４５を備える。なお、ＰＷＥ制御部２４ａの各機能の全て又は一部は、ＡＳＩＣやＰＬＤやＦＰＧＡ等のハードウェアを用いて実現されても良い。
【００２３】
ＰＨＹ４１は、物理層の処理を行うチップを用いて構成され、パケット網４のＩＰ（Internet Protocol）回線とのインタフェースとして動作する。具体的には、ＰＨＹ４１は、パケット網４からパケットを受信し、受信されたパケットを障害検出部４２へ送信する。また、ＰＨＹ４１は、変換部４３ａからパケットを受信し、受信されたパケットをパケット網４へ送信する。なお、ＰＨＹ４１が送受信するパケットは、例えばＳＡＴｏＰ（Structure-Agnostic Time Division Multiplexing over Packet）や、ＣＥＳｏＰＳＮ（Circuit Emulation Services over Packet Switched Network）等のＴＤＭｏＰ（TDM over Packet）の技術を用いて生成される。そこで、以下の説明及び図４では、パケットの信号をＳＡＴｏＰ／ＣＥＳｏＰＳＮ信号と記載する。
【００２４】
また、ＰＨＹ４１は、パケット網４を介して接続される対向側の中継装置５ａ又はパケット網４における障害の発生を検知する。例えば、ＰＨＹ４１は、ケーブルに障害が発生した場合には、リンク断として障害を検知する。また、ＰＨＹ４１は、対向側の中継装置５ａのＰＷＥ制御部２４ａに障害が発生した場合には、リンク断や同期外れとして障害を検知する。また、ＰＨＹ４１は、ケーブルが光ケーブルを用いて構成される場合には、信号の劣化（エラーレート等）を検知するように構成されても良い。ＰＨＹ４１が障害を検知するための技術は、他の技術が適用されても良い。ＰＨＹ４１は、検知した障害に関する情報を障害情報生成部４４ａへ通知する。このように、ＰＨＹ４１は少なくとも第二検知部としての機能を持つ。
【００２５】
障害検出部４２は、ＰＨＹ４１からＳＡＴｏＰ／ＣＥＳｏＰＳＮ信号を受信し、チェックサム符号に基づいて障害を検出する。チェックサム符号の具体例として、例えばＦＣＳ（Frame Check Sequence）がある。また、冗長ネットワークシステム１００がＥｔｈｅｒ−ＯＡＭ（Operations，Administration，Maintenance）機能を使用できる環境である場合には、障害検出部４２は、Ｅｔｈｅｒ−ＣＣ（Continuity Check）未受信などに基づいて障害を検出しても良い。障害検出部４２は、検知した障害に関する情報を障害情報生成部４４ａへ通知する。また、障害検出部４２は、ＰＨＹ４１から受信したＳＡＴｏＰ／ＣＥＳｏＰＳＮ信号を変換部４３ａへ送信する。
【００２６】
変換部４３ａは、ＰＷＥ３（Pseudo Wire Emulation Edge to Edge）技術に基づいて、ＴＤＭ信号とパケットとの変換処理を行う。具体的には以下のとおりである。変換部４３ａは、障害検出部４２からＳＡＴｏＰ／ＣＥＳｏＰＳＮ信号を受信する。変換部４３ａは、受信したＳＡＴｏＰ／ＣＥＳｏＰＳＮ信号をデカプセル化することによってＴＤＭ信号を生成し、障害情報付与部４５へ送信する。また、変換部４３ａは、中継部２２ａからＴＤＭ信号を受信する。変換部４３ａは、受信したＴＤＭ信号をカプセル化することによってＳＡＴｏＰ／ＣＥＳｏＰＳＮ信号を生成し、ＰＨＹ４１へ送信する。
【００２７】
また、変換部４３ａは、デカプセル化時におけるエラーや、デカプセル後のＴＤＭ信号における同期外れ等の障害を検出する。変換部４３ａは、検知した障害に関する情報を障害情報生成部４４ａへ通知する。
【００２８】
障害情報生成部４４ａは、ＰＨＹ４１、障害検出部４２、変換部４３ａから障害に関する情報を受信する。障害情報生成部４４ａは、ＰＨＹ４１、障害検出部４２、変換部４３ａから通知された障害に関する情報をＳＦ／ＳＤラベルに付与し、ＳＦ／ＳＤ信号を生成する。より具体的には、障害情報生成部４４ａに対してＰＨＹ４１、障害検出部４２、変換部４３ａから通知される可能性のある障害（エラー）の内容及びその程度毎に、ＳＦ／ＳＤ信号の値が予め設定される。障害情報生成部４４ａは、障害の内容及び程度とＳＦ／ＳＤ信号とが対応付けられた障害テーブルを予め記憶する。障害情報生成部４４ａは、ＰＨＹ４１、障害検出部４２、変換部４３ａから受信された障害通知に対応するＳＦ／ＳＤ信号を、障害テーブルに従って選択する。そして、障害情報生成部４４ａは、選択されたＳＦ／ＳＤ信号を生成し、障害情報付与部４５へ送信する。
【００２９】
障害情報付与部４５は、変換部４３ａからＴＤＭ信号を受信する。また、障害情報付与部４５は、障害情報生成部４４ａからＳＦ／ＳＤ信号を受信する。障害情報付与部４５は、障害情報生成部４４ａから受信したＳＦ／ＳＤ信号を、変換部４３ａから受信したＴＤＭ信号に付与し、ＳＦ／ＳＤ＋ＴＤＭ信号を生成する。そして、障害情報付与部４５は、生成されたＳＦ／ＳＤ＋ＴＤＭ信号を中継部２２ａへ送信する。
【００３０】
図５は、第一実施形態の中継部２２ａの機能構成を表す概略ブロック図である。中継部２２ａは、エラー検出部５１−１〜５１−３、エラー監視部５２−１〜５２−２、切替部５３を備える。なお、中継部２２ａの各機能の全て又は一部は、ＡＳＩＣやＰＬＤやＦＰＧＡ等のハードウェアを用いて実現されても良い。
【００３１】
エラー検出部５１−１は、ＴＤＭ制御部２１ａからＳＦ／ＳＤ＋ＴＤＭ信号を受信し、ＳＦ／ＳＤ信号とＴＤＭ信号とを分離する。そして、エラー検出部５１−１は、ＳＦ／ＳＤ信号をエラー監視部５２−１に送信し、ＴＤＭ信号を切替部５３へ送信する。
エラー検出部５１−２は、ＴＤＭ制御部２３ａからＳＦ／ＳＤ＋ＴＤＭ信号を受信し、ＳＦ／ＳＤ信号とＴＤＭ信号とを分離する。そして、エラー検出部５１−２は、ＳＦ／ＳＤ信号をエラー監視部５２−２に送信し、ＴＤＭ信号を切替部５３へ送信する。
エラー検出部５１−３は、ＰＷＥ制御部２４ａからＳＦ／ＳＤ＋ＴＤＭ信号を受信し、ＳＦ／ＳＤ信号とＴＤＭ信号とを分離する。そして、エラー検出部５１−３は、ＳＦ／ＳＤ信号をエラー監視部５２−２に送信し、ＴＤＭ信号を切替部５３へ送信する。
【００３２】
エラー監視部５２−１は、エラー検出部５１−１からＳＦ／ＳＤ信号を受信し、ＳＦ／ＳＤ信号に基づいて現用系として動作すべき経路を判定する。ただし、本実施形態では、エラー監視部５２−１にはＴＤＭ制御部２１ａの経路（ＴＤＭ網１）のみが接続されている。そのため、エラー監視部５２−１は常に現用系としてＴＤＭ制御部２１ａを選択する。そして、エラー監視部５２−１は、現用系の経路を表すＡＣＴ／ＳＢＹ信号を生成し、切替部５３へ送信する。
【００３３】
エラー監視部５２−２は、エラー検出部５１−２及びエラー検出部５１−３からＳＦ／ＳＤ信号を受信し、ＳＦ／ＳＤ信号に基づいて現用系として動作すべき経路を判定する。エラー監視部５２−２には、ＴＤＭ制御部２３ａの経路（ＴＤＭ網２）及びＰＷＥ制御部２４ａの経路（パケット網４）が接続されているため、エラー監視部５２−２はこの二つの経路から現用系として動作すべき経路を選択する。
【００３４】
エラー監視部５２−２は、例えば予め設定されている判定基準に従って、現用系として動作すべき経路を選択する。より具体的には、ＴＤＭ制御部２３ａ及びＰＷＥ制御部２４ａによって送信される可能性のあるＳＦ／ＳＤ信号毎に、エラーレベルが予め設定される。エラー監視部５２−２は、ＳＦ／ＳＤ信号とエラーレベルとが対応付けられたエラーレベルテーブルを予め記憶する。エラー監視部５２−２は、エラー検出部５１−２から受信されたＳＦ／ＳＤ信号に対応するエラーレベルと、エラー検出部５１−３から受信されたＳＦ／ＳＤ信号に対応するエラーレベルとを、それぞれエラーレベルテーブルに従って選択する。そして、エラー監視部５２−２は、エラーレベルがより小さい方の経路を現用系として動作すべき経路として選択する。エラー監視部５２−２は、現用系の経路を表すＡＣＴ／ＳＢＹ信号を生成し、切替部５３へ送信する。
【００３５】
切替部５３は、エラー監視部５２−１からＡＣＴ／ＳＢＹ信号を受信し、受信されたＡＣＴ／ＳＢＹ信号が表す現用系の経路を使用するように経路の切替を行う。具体的には、切替部５３は、エラー監視部５２−１から受信したＡＣＴ／ＳＢＹ信号が表す現用系の経路から受信したＴＤＭ信号を、下流側（ＴＤＭ制御部２３ａ及びＰＷＥ制御部２４ａ）へ送信する。また、切替部５３は、エラー監視部５２−２からＡＣＴ／ＳＢＹ信号を受信し、受信されたＡＣＴ／ＳＢＹ信号が表す現用系の経路を使用するように経路の切替を行う。具体的には、切替部５３は、エラー監視部５２−２から受信したＡＣＴ／ＳＢＹ信号が表す現用系の経路から受信したＴＤＭ信号を、下流側（ＴＤＭ制御部２１ａ）へ送信する。
【００３６】
図６は、エラーレベルテーブルの具体例を表す図である。図６に示されるエラーレベルテーブルは、ＳＦの値及びＳＤの値の組み合わせ毎に異なるエラーレベルを対応付けて有している。図６の場合、例えばＳＦの値“０”とＳＤの値“０”に対してエラーレベルの値“１”が対応付けられている。この場合、エラー監視部５２−２は、ＳＦの値が“０”でありＳＤの値が“０”であるＳＦ／ＳＤ信号を受信すると、エラーレベルが“１”であると判定する。なお、図６では、ＳＦの値とＳＤの値とがそれぞれ一桁の２進数（１ｂｉｔ）で表されているが、さらに多い桁数で表されても良いし、ＳＦの値とＳＤの値とが異なる桁数で表されても良い。また、エラーレベルは１〜４に限定される必要はなく、さらに多種のエラーレベルが設定されても良い。
【００３７】
図７は、ＳＦ／ＳＤ＋ＴＤＭ信号の構成例を表す図である。図７の場合、ＳＦ／ＳＤ信号は、ＴＤＭ信号（ＴＤＭフレーム）のオーバーヘッドとして組み込まれる。
図８は、第一実施形態の中継装置５ａの処理の流れを表すフローチャートである。なお、本実施形態ではＴＤＭ網１が常に現用系の経路として選択される。そのため、以下の説明では、中継装置５ａの処理のうち、ＴＤＭ網２及びパケット網４に関する処理について説明する。
【００３８】
まず、中継装置５ａに対し、ＴＤＭ信号又はパケットが入力される。ＴＤＭ信号がＴＤＭ制御部２３ａのＰＨＹ３１ａに入力されると（ステップＳ１０１）、ＰＨＹ３１ａは入力されたＴＤＭ信号から障害の検知を行う（ステップＳ１０２）。そして、ＰＨＹ３１ａは、検知した障害に関する情報を障害情報生成部３２ａに通知する。障害情報生成部３２ａは、ＰＨＹ３１ａから通知された障害の内容や程度に基づいてＳＦ／ＳＤ信号を生成し、障害情報付与部３３へ送信する（ステップＳ１０３）。障害情報付与部３３は、ＳＦ／ＳＤ信号を障害情報生成部３２ａから受信すると、受信したＳＦ／ＳＤ信号を、ＰＨＹ３１ａから受信したＴＤＭ信号に付与することによって、ＳＦ／ＳＤ＋ＴＤＭ信号を生成する（ステップＳ１０４）。そして、障害情報付与部３３は、生成したＳＦ／ＳＤ＋ＴＤＭ信号を中継部２２ａへ送信する。
【００３９】
パケット（ＳＡＴｏＰ／ＣＥＳｏＰＳＮ信号）がＰＷＥ制御部２４ａのＰＨＹ４１に入力されると（ステップＳ１０５）、ＰＨＹ４１、障害検出部４２、変換部４３ａは、それぞれ入力されたパケットから障害の検知を行う（ステップＳ１０６）。そして、ＰＨＹ４１、障害検出部４２、変換部４３ａは、検知した障害に関する情報をそれぞれ障害情報生成部４４ａに通知する。障害情報生成部４４ａは、通知された障害の内容や程度に基づいてＳＦ／ＳＤ信号を生成し、障害情報付与部４５へ送信する（ステップＳ１０７）。また、ステップＳ１０６及びＳ１０７の処理と並行して、変換部４３ａは、ＰＨＹ４１に入力されたパケットに対しデカプセル化処理を行うことによってＴＤＭ信号を抽出する（ステップＳ１０８）。障害情報付与部４５は、ＳＦ／ＳＤ信号を障害情報生成部４４ａから受信すると、受信したＳＦ／ＳＤ信号を、変換部４３ａから受信したＴＤＭ信号に付与することによって、ＳＦ／ＳＤ＋ＴＤＭ信号を生成する（ステップＳ１０９）。そして、障害情報付与部４５は、生成したＳＦ／ＳＤ＋ＴＤＭ信号を中継部２２ａへ送信する。
【００４０】
次に、中継部２２ａのエラー検出部５１−２は、ＴＤＭ制御部２３ａからＳＦ／ＳＤ＋ＴＤＭ信号を受信すると、ＴＤＭ信号とＳＦ／ＳＤ信号とを分離する。そして、エラー検出部５１−２は、ＴＤＭ信号を切替部５３へ送信し、ＳＦ／ＳＤ信号をエラー監視部５２−２へ送信する。中継部２２ａのエラー検出部５１−３は、ＰＷＥ制御部２４ａからＳＦ／ＳＤ＋ＴＤＭ信号を受信すると、ＴＤＭ信号とＳＦ／ＳＤ信号とを分離する。そして、エラー検出部５１−３は、ＴＤＭ信号を切替部５３へ送信し、ＳＦ／ＳＤ信号をエラー監視部５２−２へ送信する。
【００４１】
エラー監視部５２−２は、受信された各ＳＦ／ＳＤ信号に対応するエラーレベルを、エラーレベルテーブルに基づいて選択する。そして、どちらのエラーレベルの方が高いか判定する（ステップＳ１１０）。
【００４２】
ＴＤＭ信号に関するＳＦ／ＳＤ信号のエラーレベルの方が高かった場合（ステップＳ１１０−ＴＤＭ信号）、エラー監視部５２−２は、パケット網４を現用系の経路として選択する。そして、エラー監視部５２−２は、パケット網４を現用系とすることを表すＡＣＴ／ＳＢＹ信号を生成し、切替部５３へ送信する。切替部５３は、現在現用系として使用されている経路がＰＷＥ制御部２４ａ側の経路（パケット網４）であるか否か判定する（ステップＳ１１１）。ＰＷＥ制御部２４ａ側の経路が現在の現用系である場合には（ステップＳ１１１−ＹＥＳ）、切替部５３は特に処理を行わない。一方、ＰＷＥ制御部２４ａ側の経路が現在の現用系でない場合には（ステップＳ１１１−ＮＯ）、切替部５３はＰＷＥ制御部２４ａ側の経路を現用系に切り替える（ステップＳ１１２）。
【００４３】
ステップＳ１１０の処理において、パケットに関するＳＦ／ＳＤ信号のエラーレベルの方が高かった場合（ステップＳ１１０−パケット）、エラー監視部５２−２は、ＴＤＭ網２を現用系の経路として選択する。そして、エラー監視部５２−２は、ＴＤＭ網２を現用系とすることを表すＡＣＴ／ＳＢＹ信号を生成し、切替部５３へ送信する。切替部５３は、現在現用系として使用されている経路がＴＤＭ制御部２３ａ側の経路（ＴＤＭ網２）であるか否か判定する（ステップＳ１１３）。ＴＤＭ制御部２３ａ側の経路が現在の現用系である場合には（ステップＳ１１３−ＹＥＳ）、切替部５３は特に処理を行わない。一方、ＴＤＭ制御部２３ａ側の経路が現在の現用系でない場合には（ステップＳ１１３−ＮＯ）、切替部５３はＴＤＭ制御部２３ａ側の経路を現用系に切り替える（ステップＳ１１４）。
【００４４】
ステップＳ１１０の処理において、エラーレベルが同一である場合には、切替部５３は特に処理を行わない。
中継装置５ａは、以上の処理を繰り返し実行する。なお、中継装置５ａが上記処理を繰り返し実行する周期やタイミングは適宜設定される。例えば、中継装置５ａは、所定数のＴＤＭ信号又はパケットが入力される度に上記処理を繰り返し実行しても良いし、所定の時間が経過する度に上記処理を繰り返し実行しても良い。
【００４５】
中継装置５は、異なる種類の網に応じた制御部（ＴＤＭ制御部２３ａ及びＰＷＥ制御部２４ａ）を備え、各経路の障害の状況に応じて中継部２２ａが現用系の経路を切り替える。そのため、同一種類の網における１対１の回線の切り替えにとらわれることなく、冗長化を組むことが可能である。したがって、ネットワーク構築の自由度が向上し、より信頼性の高いネットワークを構築することが可能となる。
【００４６】
＜変形例＞
ＰＷＥ制御部２４ａがパケットを生成する方法は、ＴＤＭ信号をカプセル化してパケットを生成するという方法に限定される必要はなく、他の方法によってＴＤＭ信号を含むパケットが生成されても良い。
また、エラー情報は、ＳＦ／ＳＤ信号ではなく、他の信号として生成され伝送されても良い。
また、ＰＨＹ４１は、パケット網４の回線とのインタフェースとして動作すればよいのであって、ＩＰ回線とのインタフェースに限定されない。例えば、ＰＨＹ４１は、Ｅｔｈｅｒ回線やＭＰＬＳ回線などの回線とのインタフェースであっても良い。
【００４７】
また、ＴＤＭ制御部２１ａ側に、さらにＰＷＥ制御部２４ａと同様の構成を有するＰＷＥ制御部と、エラー検出部５１−３と同様の構成を有するエラー検出部を備えるように中継装置５ａが構成されても良い。このように構成され、図２における左側と右側とでそれぞれ独立に現用系と待機系とを切り替えるように構成されても良い。この場合、例えば図２において左側と右側で現用系として接続されるネットワークが異種となうように切替が行われても良い。
【００４８】
また、ＴＤＭ制御部２１ａ側に、さらにＴＤＭ制御部２１ａと同様の構成を有するＴＤＭ制御部と、エラー検出部５１−１と同様の構成を有するエラー検出部を備えるように中継装置５ａが構成されても良い。このように構成され、図２における左側に、複数のＴＤＭ網が接続され、各ＴＤＭ網の中から現用系と待機系とを切り替えるように構成されても良い。
【００４９】
また、ＰＨＹ３１ａ、ＰＨＹ４１、障害検出部４２、変換部４３ａは、障害に関する情報のみならず、ＴＤＭ網２やパケット網４における伝送のパフォーマンス（伝送速度、エラー率など）を検出して、障害情報生成部３２ａ、障害情報生成部４４ａに通知するように構成されても良い。この場合、障害情報生成部３２ａ、障害情報生成部４４ａは、伝送のパフォーマンスを表すＳＦ／ＳＤ信号を生成しても良い。さらに、エラー監視部５２−１、エラー監視部５２−２は、伝送のパフォーマンスを表すＳＦ／ＳＤ信号に基づいて、パフォーマンスレベルを判定し、伝送のパフォーマンスの程度が高い方の経路を現用系の経路として選択するように構成されても良い。この場合、障害情報生成部３２ａ及び障害情報生成部４４ａは、障害テーブルに代えて、伝送のパフォーマンスの内容とＳＦ／ＳＤ信号とが対応付けられたパフォーマンステーブルを予め記憶する。また、エラー監視部５２−２は、エラーレベルテーブルに代えて、ＳＦ／ＳＤ信号とパフォーマンスレベルとが対応付けられたパフォーマンスレベルテーブルを予め記憶する。
【００５０】
［第二実施形態］
図９は、第二実施形態の中継装置５ｂ（５−１、５−２）の機能構成を表す概略ブロック図である。中継装置５ｂは、ＴＤＭ制御部２１ｂ、中継部２２ｂ、ＴＤＭ制御部２３ｂ、ＰＷＥ制御部２４ｂを備える。以下、中継装置５ｂについて、主に第一実施形態の中継装置５ａと異なる構成について説明する。
【００５１】
図１０は、第二実施形態のＴＤＭ制御部２１ｂ及び２３ｂの機能構成を表す概略ブロック図である。ＴＤＭ制御部２１ｂ及びＴＤＭ制御部２３ｂは、接続されるＴＤＭ網が異なることを除けば、その構成は同じである。以下、ＴＤＭ制御部２３ｂを例に、ＴＤＭ制御部２１ｂ及びＴＤＭ制御部２３ｂについて説明する。ＴＤＭ制御部２３ｂは、ＰＨＹ３１ｂ、障害情報生成部３２ｂを備える。
【００５２】
ＰＨＹ３１ｂは、ＴＤＭ信号を障害情報付与部３３ではなく、中継部２２ｂへ送信する。障害情報生成部３２ｂは、ＳＦ／ＳＤ信号を障害情報付与部３３ではなく、中継部２２ｂへ送信する。このとき、障害情報生成部３２ｂは、ＴＤＭ信号（主信号）とは異なる経路でＳＦ／ＳＤ信号を中継部２２ｂへ送信する。ＴＤＭ信号とは異なる経路とは、例えばＩｎｂａｎｄ通信の経路を用いて構成される。
【００５３】
図１１は、第二実施形態のＰＷＥ制御部２４ｂの機能構成を表す概略ブロック図である。ＰＷＥ制御部２４ｂは、ＰＨＹ４１、障害検出部４２、変換部４３ｂ、障害情報生成部４４ｂを備える。ＰＨＹ４１及び障害検出部４２については、第一実施形態における構成と同じであるため、第一実施形態における符号と同じ符号を付して表し、説明を省略する。
【００５４】
変換部４３ｂは、デカプセル化によって生成したＴＤＭ信号を、障害情報付与部４５ではなく、中継部２２ｂへ送信する。障害情報生成部４４ｂは、ＳＦ／ＳＤ信号を、障害情報付与部４５ではなく、中継部２２ｂへ送信する。このとき、障害情報生成部４４ｂは、ＴＤＭ信号（主信号）とは異なる経路でＳＦ／ＳＤ信号を中継部２２ｂへ送信する。ＴＤＭ信号とは異なる経路とは、例えばＩｎｂａｎｄ通信の経路を用いて構成される。
【００５５】
図１２は、第二実施形態の中継部２２ｂの機能構成を表す概略ブロック図である。中継部２２ｂは、切替部５３、エラー検出部５５−１、エラー検出部５５−２を備える。切替部５３については、第一実施形態における構成と同じであるため、第一実施形態における符号と同じ符号を付して表し、説明を省略する。エラー検出部５５−１及びエラー検出部５５−２は、ＣＰＵがエラー検出プログラムを実行することによって構成されても良いし、ＡＳＩＣやＰＬＤやＦＰＧＡ等のハードウェアを用いて構成されても良い。エラー検出プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。
【００５６】
エラー検出部５５−１は、ＴＤＭ制御部２１ｂからＳＦ／ＳＤ信号を受信する。そして、エラー検出部５５−１は、第一実施形態におけるエラー監視部５２−１と同様の処理によって、ＡＣＴ／ＳＢＹ信号を生成し、切替部５３へ送信する。
【００５７】
エラー検出部５５−２は、ＴＤＭ制御部２３ｂからＳＦ／ＳＤ信号を受信する。また、エラー検出部５５−２は、ＰＷＥ制御部２４ｂからＳＦ／ＳＤ信号を受信する。そして、エラー検出部５５−２は、第一実施形態におけるエラー監視部５２−２と同様の処理によって、ＡＣＴ／ＳＢＹ信号を生成し、切替部５３へ送信する。
【００５８】
このように構成された中継装置５ｂでは、ＴＤＭ制御部２１ｂ、ＴＤＭ制御部２３ｂ、ＰＷＥ制御部２４ｂが、ＴＤＭ信号にＳＦ／ＳＤ信号を付与してＳＦ／ＳＤ＋ＴＤＭ信号を生成する必要が無い。そのため、ＴＤＭ制御部２１ｂ及びＴＤＭ制御部２３ｂは、障害情報付与部３３を備える必要が無い。また、ＰＷＥ制御部２４ｂは、障害情報付与部４５を備える必要が無い。したがって、ＴＤＭ制御部２１ｂ、ＴＤＭ制御部２３ｂ、ＰＷＥ制御部２４ｂの構成の規模を小さくすることが可能となる。また、中継装置５ｂでは、中継部２２ｂがＳＦ／ＳＤ＋ＴＤＭ信号からＳＦ／ＳＤ信号とＴＤＭ信号とを分離する必要が無い。そのため、中継部２２ｂはエラー検出部５１−１〜５１−３を備える必要が無い。したがって、中継部２２ｂの構成の規模を小さくすることが可能となる。
【００５９】
＜変形例＞
第二実施形態の中継装置５ｂは、第一実施形態の中継装置５ａと同様に変形して構成されても良い。
【００６０】
＜適用例＞
図１３は、中継装置５（５ａ、５ｂ）の適用例を表す図である。図１３は、複数のＴＤＭ網１がＳＤＨ／ＳＯＮＥＴリング６０に接続されているネットワーク構成を表す。図１３において、上記実施形態で説明した装置及びネットワークと同じ構成については、図１と同じ符号を付して表す。なお、図１では、１台の中継装置５−２に対し１台の中継装置５−１が接続されていたが、図１３では１台の中継装置５−２に対し２台の中継装置５−１が接続される。このように、１台の中継装置５−２に対し複数台の中継装置５−１が接続されても良い。また、複数台の中継装置５−２に対し１台の中継装置５−１が接続されても良いし、複数台の中継装置５−２に対し複数台の中継装置５−１が接続されても良い。
【００６１】
図１３のネットワークでは、ＳＤＨ／ＳＯＮＥＴリング６０は、複数台のＳｗｉｔｃｈ８０−１〜８０−４を用いて構成される。また、図１３における無線ネットワーク（図１３では「無線」として表示）は、既存の無線通信技術を用いて構成され、例えばマイクロ波通信によって実現される。
【００６２】
通信装置７０−１は、ＴＤＭ網１からＴＤＭ信号を受信する。通信装置７０−１は、受信したＴＤＭ信号を、無線ネットワークの対向側の装置（通信装置７０−２又は中継装置５−１）へ送信する。通信装置７０−２は、無線ネットワークを介してＴＤＭ信号を受信する。通信装置７０−２は、受信したＴＤＭ信号をＰＷＥ３技術に基づいてパケットに変換し、パケット網を介して通信装置７０−３へ送信する。通信装置７０−３は、パケット網を介してパケットを受信する。通信装置７０−３は、ＰＷＥ３技術に基づいて、受信したパケットからＴＤＭ信号を抽出し、無線ネットワークを介して通信装置７０−４へＴＤＭ信号を送信する。
【００６３】
中継装置５−１は、無線ネットワークを介してＴＤＭ信号を受信する。中継装置５は、このように無線ネットワークを介してＴＤＭ信号を受信するように構成されても良い。この場合、例えばＴＤＭ制御部２１ａのＰＨＹ３１（３１ａ、３１ｂ）が、無線ネットワークに対応した装置を用いて構成される。中継装置５−１は、上述したように、ＴＤＭ網２及びパケット網４のうち現用系の経路を選択する。そして、中継装置５−１は、選択した現用系の経路を介して中継装置５−２へＴＤＭ信号を送信する。中継装置５−２は、現用系の経路を介してＴＤＭ信号を受信し、無線ネットワークを介して通信装置７０−４へＴＤＭ信号を送信する。
【００６４】
中継装置７０−４は、無線ネットワークを介してＴＤＭ信号を受信する。中継装置７０−４は、受信したＴＤＭ信号を、ＴＤＭ網３を介して、ＳＤＨ／ＳＯＮＥＴリング６０のＳｗｉｔｃｈ８０−１へ送信する。また、ＳＤＨ／ＳＯＮＥＴリング６０からＴＤＭ網１へ信号が伝送される場合には、上記説明と逆の流れで通信が行われる。
【００６５】
図１４は、中継装置５の他の適用例を表す図である。図１のネットワークでは、中継装置５−１と中継装置５−２との間には、ＴＤＭ網２の経路が１つとパケット網４の経路が１つであった。これに対し、図１４のように、中継装置５−１と中継装置５−２との間のＴＤＭ網２の経路が複数設けられても良い。また、パケット網４の経路が複数設けられても良い。同様に、ＴＤＭ網２及びパケット網４のそれぞれの経路が複数ずつ設けられても良い。この場合、中継装置５−１及び中継装置５−２は、上記の３つ以上の経路の中から現用系の経路を選択して使用する。また、中継装置５−１及び中継装置５−２が複数の経路を並行して用いて通信できるように構成された場合には、中継装置５−１及び中継装置５−２は、上記の３つ以上の経路の中から現用系の経路として複数の経路を選択して使用しても良い。
【００６６】
また、中継装置５は、既存のＴＤＭ網２に対してマイグレーションを行う際に用いられても良い。具体的には、ＴＤＭ網１とＴＤＭ網３との間に既存のＴＤＭ網２に代わるパケット網４を設置してマイグレーションを行う際に、ＴＤＭ網１とＴＤＭ網３との間に図１のように中継装置５−１及び中継装置５−２を設置する。そして、中継装置５−１及び中継装置５−２の切替部５３を制御して、現用系の経路をＴＤＭ網２からパケット網４に切り替える。このようにマイグレーションの際に中継装置５を用いることによって、ＴＤＭ網１からＴＤＭ網３への回線を止めることなく、ＴＤＭ網２からパケット網４への移行が可能となる。また、移行後にもＴＤＭ網２を中継装置５−１及び中継装置５−２に接続しておくことによって、ＴＤＭ網２をパケット網４の待機系として動作させ、冗長ネットワークを構築することが可能となる。
【００６７】
なお、パケット網４への移行を行った場合にも、ＥｏＳＯＮＥＴ／ＳＤＨとすることによって、従来のＳＯＮＥＴ／ＳＤＨリングも使用可能である。また、ＴＤＭ網の回線としては、Ｔ１／Ｅ１であっても良いし、他の回線であっても良い。
【００６８】
以上、この発明の実施形態について図面を参照して詳述してきたが、具体的な構成はこの実施形態に限られるものではなく、この発明の要旨を逸脱しない範囲の設計等も含まれる。
本願は、２０１０年３月１８日に、日本に出願された特願２０１０−０６２６９５号に基づき優先権を主張し、その内容をここに援用する。
【産業上の利用可能性】
【００６９】
本発明は、例えばＴＤＭ網及びパケット網のように複数の異なるネットワークを用いて構築される通信ネットワークに適用できる。
【符号の説明】
【００７０】
１〜３…ＴＤＭ網，  ４…パケット網，  ５−１，５−２…中継装置，  ２１ａ，２１ｂ…ＴＤＭ制御部，  ２２ａ，２２ｂ…中継部，  ２３ａ，２３ｂ…ＴＤＭ制御部，  ２４ａ，２４ｂ…ＰＷＥ制御部，  ３１ａ，３１ｂ…ＰＨＹ，  ３２…障害情報生成部，  ３３…障害情報付与部，  ４１…ＰＨＹ，  ４２…障害検出部，  ４３ａ，４３ｂ…変換部，  ４４ａ，４４ｂ…障害情報生成部，  ４５…障害情報付与部，  ５１−１〜５１−３…エラー検出部，  ５２−１，５２−２…エラー監視部，  ５３…切替部，  ５５−１，５５−２…エラー検出部，  ５６…切替部  ６０…ＳＤＨ／ＳＯＮＥＴリング，  ７０−１〜７０−４…通信装置
【図１】
2011115248.tif 000003
【図２】
2011115248.tif 000004
【図３】
2011115248.tif 000005
【図４】
2011115248.tif 000006
【図５】
2011115248.tif 000007
【図６】
2011115248.tif 000008
【図７】
2011115248.tif 000009
【図８】
2011115248.tif 000010
【図９】
2011115248.tif 000011
【図１０】
2011115248.tif 000012
【図１１】
2011115248.tif 000013
【図１２】
2011115248.tif 000014
【図１３】
2011115248.tif 000015
【図１４】
2011115248.tif 000016
【国際調査報告】
2011115248.tif 000017
2011115248.tif 000018